(57)【要約】一つの携帯端末（１０）から複数の通信網（２０、２１、２２、５０）へのアクセスを管理するシステムと方法。本発明によると、前記システムの優れている点というのは、前記通信網の少なくとも一つである、入口通信網（５０）と呼ばれるものが、携帯端末の表示手段の上に表示されるホーム・ページを少なくとも一つ含み、そこに前記通信網（２０、２１、２２、５０）のそれぞれを識別する名称を少なくとも一つ有するということである。モバイルネットワークに応用して、それぞれが一通りのサービスを提供する、独立した複数の通信網（２０、２１、２２、５０）に一つの携帯端末（１０）からアクセスできるようにする。
2004535745.tif 000002
【特許請求の範囲】
【請求項１】
少なくとも一つの表示手段と選択手段を含む一つの携帯端末（１０）から複数の通信網（２０、２１、２２、５０）にアクセスするのを管理するシステムであり、少なくとも一つの前記通信網の一つである入口通信網（５０）と呼ばれるものが、携帯端末の前記表示手段に表示されるホーム・ページを少なくとも一つ含み、そこに前記通信網（２０、２１、２２、５０）のそれぞれを識別する名称を少なくとも一つ有するということを特徴とするシステム。
【請求項２】
前記識別名称のそれぞれを、前記入口通信網（５０）の前記ホーム・ページの上に、一つのラベルにより目に見える形で示すことを特徴とする、請求項１に記載の携帯端末（１０）からのアクセス管理システム。
【請求項３】
前記ラベルを、画像、アイコン、文章付きの対象、音響付きの対象またはホーム・ページからアクセス可能なその他あらゆるな要素によって、定義することを特徴とする、請求項２に記載の携帯端末（１０）からのアクセス管理システム。
【請求項４】
前記ラベルのそれぞれを、前記入口通信網（５０）の前記ホーム・ページにおけるハイパーリンクにより、前記識別名称のそれぞれに結びつけることを特徴とする、請求項２または請求項３に記載の携帯端末（１０）からのアクセス管理システム。
【請求項５】
少なくとも一つの表示手段と選択手段とを含む携帯端末（１０）から複数の通信網（２０、２１、２２、５０）にアクセスするのを管理する方法であり、前記方法が以下の手順を伴うということを特徴とするものである。
・携帯端末（１０）の中に、入口通信網（５０）と呼ばれる前記通信網の一つを識別する名称を少なくとも一つ記憶し、
・前記入口通信網（５０）の中に、少なくとも一つのホーム・ページを設け、
・前記ホーム・ページ上に、それぞれが前記通信網（２０、２１、２２、５０）の一つに対応するラベルを少なくとも一つ定義し、
・前記通信網（２０、２１、２２、５０）のそれぞれを識別する名称一つを指定し、
・前記ホーム・ページ上で、前記通信網（２０、２１、２２、５０）を識別する前記名称のそれぞれに、前記ラベルのそれぞれをハイパーリンクで結びつけ、
・携帯端末（１０）で、前記入口通信網（５０）の前記識別名称を、前記選択手段により選び、
・携帯端末（１０）の前記表示手段に、前記入口通信網（５０）の前記ホーム・ページをダウンロードし、
・前記ホーム・ページ上で、一つのラベルを選択し、前記ラベルに対応する前記通信網（２０、２１、２２、５０）にアクセスする。
【発明の詳細な説明】
【技術分野】
【０００１】
本発明は、携帯端末から通信網へのアクセスを管理するシステムと方法に関するものである。
【０００２】
本発明は、より具体的には、それぞれが一通りのサービスを提供する独立した複数の通信網に一つの携帯端末からアクセスできるようなモバイルネットワークに応用されるものである。
【背景技術】
【０００３】
現に、このようなサービスには、ＧＰＲＳ（Ｇｅｎｅｒａｌ  Ｐａｃｋｅｔ  Ｒａｄｉｏ  Ｓｅｒｖｉｃｅ、つまりパケット・モードによる無線通信の総合サービス）やＵＭＴＳシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、つまり携帯端末での電気通信の普遍的システム）のような携帯電気通信網に接続された携帯端末からアクセス可能である。
【０００４】
わかりやすく言えば、本発明はＧＰＲＳまたはＵＭＴＳシステムの用語法において用いられる呼称で説明されるものである。しかしながら、本発明は、通信網を識別するための同一の技術を用いる、すべての通信システムに応用されるものである。
【０００５】
このようなモバイルネットワークと呼ばれるものにおいては、サービスを提供する通信網の選択に際して、前記通信網を識別する名称を選択する必要がある。通信端末と所定の通信網との間の接続を確立するに際して、前記識別名称は、モバイルネットワークを介して、通信網と呼ばれるものへのアクセスを管理する機器に向けて伝達される。
【０００６】
現実のＧＰＲＳタイプ並びにＵＭＴＳタイプのシステムにおいては、通信網を識別する名称はＡＰＮ（Ａｃｃｅｓｓ  ｐｏｉｎｔ  ｎａｍｅつまりアクセス・ポイントの名称）と呼ばれる。この同じシステムにおいて、様々な通信網へのアクセスを管理する機器は、ＧＧＳＮ（Ｇａｔｅｗａｙ  ＧＰＲＳ  Ｓｅｒｖｉｃｅ  Ｎｏｄｅ、つまりＧＰＲＳトランジット接続点）と呼ばれる。
【０００７】
ＡＰＮ識別名称に主に含まれるのは、選択した通信網に対応するドメイン・ネーム、前記通信網を管理する事業者の識別子、そしてＧＰＲＳまたはＵＭＴＳモバイルネットワークの識別子である。ＡＰＮ識別名称のフォーマットを規格化しているのは、ＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ、つまり欧州通信規格協会である）。
【０００８】
いくつかある機能の中でも、ＧＧＳＮアクセス管理機器は、携帯端末から受信したＡＰＮ識別名称を認識し、そのＡＰＮ識別名称に対応する通信網に向けて接続を確立する。このＧＧＳＮ機器もまた、ＥＴＳＩによって規格化されている。
【０００９】
あるＡＰＮ識別名称をその携帯端末でひとたび選択すると、アクセス・プロトコルが始動する。ＧＰＲＳやＵＭＴＳでは、このようなプロトコルは、ＰＤＰ（Ｐａｃｋｅｔ  Ｄａｔａ  Ｐｒｏｔｏｃｏｌ、つまりパケット・モードでのデータのプロトコル）と呼ばれる。携帯端末の、ＧＧＳＮと呼ばれるアクセス管理機器に向けて接続を確立する方式が用いられる。その接続を確立できるようにするために、選択した通信網へのリンクを、そのモバイルネットワークを介して、生成する。ＧＰＲＳやＵＭＴＳでは、このリンクは「ＰＤＰ  Ｃｏｎｔｅｘｔ」と呼ばれる。このリンクにより、前記通信網の一通りのサービスに携帯端末でアクセスすることが可能になる。このアクセスにより、その携帯端末の上に様々なサービスを提供する通信網のホーム・ページを表示することができる。
【００１０】
ＥＴＳＩの規格では、同じ一つの携帯端末から様々な通信網に向けて、同時に幾つもの接続を確立することが可能になることが想定されている。
【００１１】
現に、このような通信網に対応するＡＰＮ識別名称の一覧表が、ユーザーの携帯端末のところに記憶されている。このような記憶は、例えば、その携帯端末本体、携帯端末のＳＩＭカードまたはＵＳＩＭカード、メモリー・カードまたは他のあらゆるデータ保存装置の中で行われる。
【００１２】
そういうわけで、一つの記憶場所が、このような一覧表用に用意されていなければならない。このような記憶の保管場所の大きさは、技術的には微細で限られた大きさのものであるのに対し、使用可能な通信網の数は、絶えず増えていく。
【００１３】
ユーザーは、定期的に新しいＡＰＮ識別名称を入力する必要があり、手動で、あるいは、既存の一覧表をダウンロードすることにより、古い名称を更新しなければならない。このような更新が、例えば、データ収集入力のエラーのもとになり、それがユーザーが加入している通信網へのアクセスを混乱させることにもなる。
【００１４】
更に、上記の定義にもあるように、通信網を識別するＡＰＮ名称はあまり明示的なものではないのだが、なぜなら、前記通信網が提供する様々なサービスも、そのようなサービスの内容も、そのような名称では示されていないからである。
【００１５】
最後に、ある通信網にアクセスするためには、ユーザーは、その携帯端末の中で記憶された一覧表の中からＡＰＮ識別名称を選択し、それにより、対応する通信網との接続を確立する。他の通信網にアクセスするためには、ユーザーは、改めてその携帯端末で同じ一覧表の中から別のＡＰＮ識別名称を選択しなければならない。
【発明の開示】
【発明が解決しようとする課題】
【００１６】
そういうわけで、本発明の対象によって解決すべき技術的課題は、一つの携帯端末から複数の通信網にアクセスするのを管理するシステムを提案するということであり、それにより、携帯端末に記憶されているＡＰＮ識別名称の一覧表を廃止して、そのような通信網と呼ばれるものへのアクセスをしやすくすることで、既存のシステムの不都合な点を克服することである。
【課題を解決するための手段】
【００１７】
本発明による技術的課題の解決というのは、少なくとも一つの表示手段と選択手段を含む、一つの携帯端末から複数の通信網にアクセスするのを管理するシステムが優れているということにあって、該システムの優れている点というのは、入口通信網と呼ばれる前記通信網の少なくとも一つが、携帯端末の前記表示手段に表示されるホーム・ページを少なくとも一つ含み、そこに前記通信網のそれぞれを識別する名称を少なくとも一つ有するということである。
【００１８】
そのようにすると、入口通信網と呼ばれる前記通信網は、他の通信網へとアクセスするポイントだということになる。前記通信網を識別するＡＰＮ名称を有するホーム・ページによって、前記入口通信網は、通信網と呼ばれるものと、前記入口通信網が提示するサービスとにアクセスするのを管理することができる。
【００１９】
そういうわけで、ＡＰＮ識別名称の一覧表を更新するのは、前記入口通信網のところで、該入口通信網を管理する事業者が行うことであり、上記に述べた端末のユーザーが行うことではない。
【００２０】
入口通信網と呼ばれる通信網は、携帯端末の中に用意された、どうしても限りのあるものにならざるを得ない記憶場所よりも大きなＡＰＮ識別名称の一覧表を収納できるように、大きさを決められている。
【００２１】
本発明にかなう形では、前記識別名称のそれぞれを、入口通信網と呼ばれる前記通信網の前記ホーム・ページ上に、一つのラベルにより目に見える形で示す。
【発明の効果】
【００２２】
本発明にかなう形では、前記ラベルを、画像、アイコン、文章付きの対象、音響付きの対象またはホーム・ページからアクセス可能なその他あらゆる要素によって、定義する。
【００２３】
一通りのサービスを提供する各通信網は、その場合、ラベルまたは「タグ」で示され、該タグは、提示されたサービスのテーマや種類を、例えば証券取引サービス、旅行、ゲーム等というように、はっきりと識別する。
【００２４】
本発明によると、前記ラベルのそれぞれを、前記入口通信網の前記ホーム・ページにおけるハイパーリンクにより、前記識別名称のそれぞれに結びつける。
【００２５】
複数の通信網の表示は、前記入口通信網の前記ホーム・ページ上に総括的に表示する。各ラベルが示すＡＰＮ識別名称により、一つの通信網と接続することができる。前記通信網の選択は、通信網に対応するラベルを選ぶことにより、前記ホーム・ページの上で行う。このような総括的な表示によって、一つの通信網から他の通信網へのネット・サーフィンがやりやすくなり、該総括的な表示は、同じホーム・ページ上で他のラベルを見た後、またもう一つのラベル、即ちＡＰＮ識別名称を選ぶことを可能にする。
【００２６】
本発明はまた、少なくとも一つの表示手段と選択手段を含む携帯端末から複数の通信網にアクセスするのを管理する方法をも対象としており、該方法の優れている点というのは、前記方法が以下のような手順を有するということである。−携帯端末の中に、入口通信網と呼ばれる前記通信網の一つを識別する少なくとも一つの名称を記憶する。−前記入口通信網の中に、少なくとも一つのホーム・ページを設ける。−前記ホーム・ページの上に、それぞれが前記通信網の一つに対応するラベルを少なくとも一つ定義する。−前記通信網のそれぞれを識別する名称を指定する。−前記ホーム・ページで、前記通信網を識別する前記名称のそれぞれに、前記ラベルのそれぞれをハイパーリンクで結びつける。−携帯端末で、前記入口通信網の前記識別名称を、前記選択手段により選ぶ。−携帯端末の前記表示手段に、前記入口通信網の前記ホーム・ページをダウンロードする。−前記ホーム・ページの上で一つのラベルを選び、前記ラベルに対応する前記通信網にアクセスする。
【００２７】
携帯端末では、サービスを提供する様々な通信網を識別する様々なＡＰＮ名称の一覧表の代わりに、入口通信網と呼ばれる通信網を識別するＡＰＮ名称を少なくとも一つ、記憶するだけである。前記ラベルで示されたＡＰＮ識別名称の一覧表は、前記入口通信網の前記ホーム・ページ上にある。前記入口通信網のＡＰＮ識別名称を選ぶ際には、このホーム・ページと呼ばれるものを携帯端末の表示手段にダウンロードする。
【発明を実施するための最良の形態】
【００２８】
以下の説明を、非限定的例示として添付した図面を参照しつつ読み進めば、本発明の成り立ちと、実施を可能にする方法とがよく理解できるだろう。
【００２９】
図１は、本発明による、一つの携帯端末から複数の通信網にアクセスするのを管理するシステムの全体的な構成図である。
【００３０】
それぞれ一通りのサービスを提供する、独立した通信網２０、２１、２２、５０に加入しているユーザーは、その携帯端末１０の中に、入口通信網と呼ばれる通信網５０を識別するＡＰＮ名称を少なくとも一つ記憶する。
【００３１】
ユーザーが記憶されたＡＰＮ識別名称を選択すると、携帯端末通信網を介して、ＧＧＳＮと呼ばれるアクセス管理機器３０に向けた前記入口通信網５０との接続が確立される。
【００３２】
携帯端末１０の表示手段によって、前記入口通信網５０のホーム・ページの少なくとも一つの上で、ユーザーは一つのラベルで、ユーザーがアクセスする前記通信網２０、２１、２２、５０のそれぞれを指定する。様々な通信網２０、２１、２２、５０を認識しやすいように、そして通信網によって提供されるサービスのテーマを認識しやすいようにユーザーが選ぶ、ラベルまたは「タッグ」のそれぞれを構成するのは、画像や、アイコンや、文章付きの対象や、音響付きの対象またはその他のあらゆるホーム・ページからアクセス可能な要素であってよい。
【００３３】
前述したように、ＡＰＮ名称は、前記通信網２０、２１、２２、５０のそれぞれを識別するものである。前記ホーム・ページの上で、定義された前記ラベルのそれぞれは、ハイパーリンクで前記通信網２０、２１、２２、５０のそれぞれを識別する、ＡＰＮ名称のそれぞれと結びつけられる。
【００３４】
ある文献によると、ハイパーリンクというのは、選択可能、かつ動作開始要素である。本発明にかなったシステムにおいては、一つのラベルから一つのＡＰＮ識別名称を選択し、それにより、例えば「ＰＤＰと呼ばれるパケット・データ・プロトコル」タイプの、定義された前記通信網へのアクセスのプロトコルを始動する動作を開始させる。それによりまた、ＧＧＳＮと呼ばれるアクセス管理機器３０に向けて、つぎに、ある通信網に向けて、例えば「ＰＤＰコンテクスト」タイプの接続を確立する方式も用いる。
【００３５】
携帯端末に記憶された、このホーム・ページと呼ばれるものは、そのような場合には、複数の通信網２０、２１、２２、５０に向けたアクセスに役立つものである。
【００３６】
それ自体の特別な機能の他にも、前記入口通信網５０は、他のあらゆる通信網と同様に一通りのサービスを提供することができる。その場合には、一つのラベルで例えば、前記一通りのサービスまたは前記入口通信網５０が提供する一つのサービスへのアクセスを表すことができる。
【００３７】
入口通信網と呼ばれる通信網５０を管理する事業者はまた、上記のような様々な作業を行うこともできるが、そのためには、ユーザーが契約した複数の通信網の使用契約を知っていることも条件となる。
【図面の簡単な説明】
【００３８】
【図１】本発明による、一つの携帯端末から複数の通信網にアクセスするのを管理するシステムの全体的な構成図である。
【符号の説明】
【００３９】
１０  携帯端末
２０  通信網
２１  通信網
２２  通信網
３０  アクセス管理機器
５０  入口通信網
【図１】
2004535745.tif 000003
【国際公開パンフレット】
2004535745.tif 000004
2004535745.tif 000005
2004535745.tif 000006
2004535745.tif 000007
2004535745.tif 000008
2004535745.tif 000009
2004535745.tif 000010
2004535745.tif 000011
2004535745.tif 000012
2004535745.tif 000013
2004535745.tif 000014
【手続補正書】
【提出日】平成15年7月4日(2003.7.4)
【手続補正１】
【補正対象書類名】特許請求の範囲
【補正対象項目名】全文
【補正方法】変更
【補正の内容】
【特許請求の範囲】
【請求項１】
少なくとも一つの表示手段と選択手段を含む一つの携帯端末（１０）から複数の通信網（２０、２１、２２、５０）にアクセスするのを管理するシステムであり、前記携帯端末(１０)が、入口通信網（５０）としての前記通信網の少なくとも一つを指定するための手段、そして、前記入口通信網(５０)で、携帯端末の前記表示手段に表示される少なくとも一つのホーム・ページを定義するための手段を含み、そこに前記通信網（２０、２１、２２、５０）のそれぞれを識別する名称を少なくとも一つ有するということを特徴とするシステム。
【請求項２】
前記識別名称のそれぞれを、前記入口通信網（５０）の前記ホーム・ページの上に、一つのラベルにより目に見える形で示すことを特徴とする、請求項１に記載の携帯端末（１０）からのアクセス管理システム。
【請求項３】
前記ラベルを、画像、アイコン、文章付きの対象、音響付きの対象またはホーム・ページからアクセス可能なその他あらゆるな要素によって、定義することを特徴とする、請求項２に記載の携帯端末（１０）からのアクセス管理システム。
【請求項４】
前記ラベルのそれぞれを、前記入口通信網（５０）の前記ホーム・ページにおけるハイパーリンクにより、前記識別名称のそれぞれに結びつけることを特徴とする、請求項２または請求項３に記載の携帯端末（１０）からのアクセス管理システム。
【請求項５】
少なくとも一つの表示手段と選択手段とを含む携帯端末（１０）から複数の通信網（２０、２１、２２、５０）にアクセスするのを管理する方法であり、前記方法が以下の手順を伴うということを特徴とするものである。
・携帯端末（１０）の中に、入口通信網（５０）と呼ばれる前記通信網の一つを識別する名称を少なくとも一つ記憶し、
・前記入口通信網（５０）の中に、少なくとも一つのホーム・ページを設け、
・前記ホーム・ページ上に、それぞれが前記通信網（２０、２１、２２、５０）の一つに対応するラベルを少なくとも一つ定義し、
・前記通信網（２０、２１、２２、５０）のそれぞれを識別する名称一つを指定し、
・前記ホーム・ページ上で、前記通信網（２０、２１、２２、５０）を識別する前記名称のそれぞれに、前記ラベルのそれぞれをハイパーリンクで結びつけ、
・携帯端末（１０）で、前記入口通信網（５０）の前記識別名称を、前記選択手段により選び、
・携帯端末（１０）の前記表示手段に、前記入口通信網（５０）の前記ホーム・ページをダウンロードし、
・前記ホーム・ページ上で、一つのラベルを選択し、前記ラベルに対応する前記通信網（２０、２１、２２、５０）にアクセスする。
【手続補正２】
【補正対象書類名】明細書
【補正対象項目名】００１２
【補正方法】変更
【補正の内容】
【００１２】
文献米国特許第５６１３２１３号明細書は、通信システムについて記述しており、該通信システムは、（通信装置と呼ばれる）携帯端末が使用可能なサービスの一覧表を、（サービスの一覧表付きのサービステーブルと呼ばれる）前記携帯端末のメモリに向けて定期的に伝達するシステムである。前記一覧表は、携帯端末において記憶され、その画面上で表示される。
そういうわけで、一つの記憶場所が、このような一覧表用に用意されていなければならない。このような記憶の保管場所の大きさは、技術的には微細で限られた大きさのものであるのに対し、使用可能な通信網の数は、絶えず増えていく。




【国際調査報告】
2004535745.tif 000015
2004535745.tif 000016
2004535745.tif 000017
2004535745.tif 000018